【手続補正書】
【提出日】令和1年7月26日(2019.7.26)
【手続補正１】
【補正対象書類名】特許請求の範囲
【補正対象項目名】全文
【補正方法】変更
【補正の内容】
【特許請求の範囲】
【請求項１】
第１の量のインク滴を吐出する第１の吐出口と前記第１の量より少ない第２の量のインク滴を吐出する第２の吐出口とが設けられた吐出口面を有し、記録媒体に記録動作を行う記録ヘッドと、
前記第１の吐出口及び前記第２の吐出口をキャッピングする１つのキャップと、
前記キャップと接続され前記キャップが前記吐出口面をキャッピングした状態で前記記録ヘッドからインクを吸引する吸引手段と、
記録命令に基づいて、前記記録ヘッドに、少なくとも前記第２の吐出口を用いて記録媒体に記録する第１の記録動作、および前記第２の吐出口は用いず前記第１の吐出口を用いて記録媒体に記録する第２の記録動作、を含む複数の記録動作のうちのいずれの記録動作を行わせるか判断する判断手段と、を備え、
前記判断手段によって前記第１の記録動作を行うと判断した場合は、当該記録動作の前に、前記吸引手段に第１の強度でインクを吸引する第１の吸引動作と前記第１の強度より高い第２の強度でインクを吸引する第２の吸引動作とを行わせるインクジェット記録装置であって、
前記判断手段によって前記第２の記録動作を行うと判断した場合は、当該記録動作の前に、前記吸引手段に前記第２の吸引動作を行わせず前記第１の吸引動作を行わせることを特徴とするインクジェット記録装置。
【請求項２】
前記第２の吸引動作は前記第１の吸引動作より吸引圧力が大きいことを特徴とする請求項１に記載のインクジェット記録装置。
【請求項３】
前記吸引手段は、インクを吸引するためのポンプと、前記キャップと前記ポンプとの間に配され前記キャップとポンプが連通する開状態と連通しない閉状態とに切替可能な開閉弁と、を有し、前記第１の吸引動作の際は前記開閉弁を前記開状態にして前記ポンプを駆動することによって前記記録ヘッドからインクを吸引し、前記第２の吸引動作の際は前記開閉弁を前記閉状態にして前記ポンプを駆動してから前記開閉弁を前記開状態に切り替えることによって前記記録ヘッドからインクを吸引することを特徴とする請求項１または２に記載のインクジェット記録装置。
【請求項４】
前記第２の吐出口の直径は前記第１の吐出口の直径より小さいことを特徴とする請求項１から３のいずれか１項に記載のインクジェット記録装置。
【請求項５】
前記吸引手段による前記第１の吸引動作と前記第２の吸引動作の制御を第１のフラグと第２のフラグを用いて行う制御手段を備え、前記制御手段は第１のフラグがＯＮにセットされているときに前記吸引手段に前記第１の吸引動作を行わせることを特徴とする請求項１から４のいずれか１項に記載のインクジェット記録装置。
【請求項６】
前記第１のフラグがＯＮにセットされると、前記第２のフラグがＯＮにセットされることを特徴とする請求項５に記載のインクジェット記録装置。
【請求項７】
前記第１のフラグは、前回の前記第１の吸引動作からの経過時間が所定時間を超えたときにＯＮにセットされることを特徴とする請求項５または６に記載のインクジェット記録装置。
【請求項８】
前記第１のフラグは、前回の前記第１の吸引動作以降に前記第１の吐出口または前記第２の吐出口から吐出されたインクの吐出量が所定値を超えたときに、ＯＮにセットされることを特徴とする請求項５から７のいずれか１項に記載のインクジェット記録装置。
【請求項９】
前記記録ヘッドと接続し前記記録ヘッドへインクを供給するためのインクタンクと、前記記録ヘッドと前記インクタンクを搭載するキャリッジと、を更に備え、前記インクタンクが前記キャリッジに装着されていない時間が所定時間を超えたときに前記第１のフラグがＯＮにセットされることを特徴とする請求項５から８のいずれか１項に記載のインクジェット記録装置。
【請求項１０】
前記記録ヘッドが前記第１の記録動作を行う前に前記第１のフラグがＯＮにセットされている場合は、前記制御手段は前記吸引手段に前記第１の吸引動作と前記第２の吸引動作を行わせることを特徴とする請求項５から９のいずれか１項に記載のインクジェット記録装置。
【請求項１１】
前記制御手段は、前記吸引手段が前記第１の吸引動作と前記第２の吸引動作を行った後、前記第１のフラグと前記第２のフラグをＯＦＦにセットすることを特徴とする請求項１０に記載のインクジェット記録装置。
【請求項１２】
前記記録ヘッドが前記第２の記録動作を行う前に前記第１のフラグがＯＮにセットされている場合は、前記制御手段は前記吸引手段に前記第２の吸引動作を行わせず前記第１の吸引動作を行わせることを特徴とする請求項５から１１のいずれか１項に記載のインクジェット記録装置。
【請求項１３】
前記制御手段は、前記吸引手段が前記第１の吸引動作を行った後、前記第１のフラグをＯＦＦにセットすることを特徴とする請求項１２に記載のインクジェット記録装置。
【請求項１４】
前記記録ヘッドが前記第１の記録動作を行う前に前記第１のフラグはＯＦＦにセットされていて前記第２のフラグがＯＮにセットされている場合は、前記制御手段は前記吸引手段に前記第１の吸引動作を行わせず前記第２の吸引動作を行わせることを特徴とする請求項５から１３のいずれか１項に記載のインクジェット記録装置。
【請求項１５】
前記制御手段は、前記吸引手段が前記第１の吸引動作を行った後、前記第２のフラグをＯＦＦにセットすることを特徴とする請求項１４に記載のインクジェット記録装置。
【請求項１６】
前記記録媒体が光沢紙のときは前記第２の記録動作を行い、前記記録媒体が普通紙のときは前記第２の記録動作を行うことを特徴とする請求項１から１５のいずれか１項に記載のインクジェット記録装置。
【請求項１７】
第１の量のインク滴を吐出する第１の吐出口と前記第１の量より少ない第２の量のインク滴を吐出する第２の吐出口とが設けられた吐出口面を有し、記録媒体に記録動作を行う記録ヘッドと、
前記第１の吐出口及び前記第２の吐出口をキャッピングする１つのキャップと、を備えるインクジェット記録装置のクリーニング方法であって、
前記キャップと接続され前記キャップが前記吐出口面をキャッピングした状態で前記記録ヘッドからインクを吸引する吸引工程と、
記録命令に基づいて、前記記録ヘッドに、少なくとも前記第２の吐出口を用いて記録媒体に記録する第１の記録動作、および前記第２の吐出口は用いず前記第１の吐出口を用いて記録媒体に記録する第２の記録動作を含む複数の記録動作のうちのいずれの記録動作を行わせるか判断する判断工程と、
前記判断工程によって前記第１の記録動作を行うと判断した場合は、当該記録動作の前に、第１の強度でインクを吸引する第１の吸引動作と前記第１の強度より高い第２の強度でインクを吸引する第２の吸引動作とを行わせる第１の回復工程と、
前記判断工程によって前記第２の記録動作を行うと判断した場合は、当該記録動作の前に、前記第２の吸引動作を行わせず前記第１の吸引動作を行わせる第２の回復工程と、
を備えることを特徴とするクリーニング方法。
【手続補正２】
【補正対象書類名】明細書
【補正対象項目名】０００６
【補正方法】変更
【補正の内容】
【０００６】
本発明は、上記目的を達成するため、第１の量のインク滴を吐出する第１の吐出口と前記第１の量より少ない第２の量のインク滴を吐出する第２の吐出口とが設けられた吐出口面を有し、記録媒体に記録動作を行う記録ヘッドと、前記第１の吐出口及び前記第２の吐出口をキャッピングする１つのキャップと、前記キャップと接続され前記キャップが前記吐出口面をキャッピングした状態で前記記録ヘッドからインクを吸引する吸引手段と、記録命令に基づいて、前記記録ヘッドに、少なくとも前記第２の吐出口を用いて記録媒体に記録する第１の記録動作、および前記第２の吐出口は用いず前記第１の吐出口を用いて記録媒体に記録する第２の記録動作、を含む複数の記録動作のうちのいずれの記録動作を行わせるか判断する判断手段と、を備え、前記判断手段によって前記第１の記録動作を行うと判断した場合は、当該記録動作の前に、前記吸引手段に第１の強度でインクを吸引する第１の吸引動作と前記第１の強度より高い第２の強度でインクを吸引する第２の吸引動作とを行わせるインクジェット記録装置であって、前記判断手段によって前記第２の記録動作を行うと判断した場合は、当該記録動作の前に、前記吸引手段に前記第２の吸引動作を行わせず前記第１の吸引動作を行わせることを特徴とする。